(57)【特許請求の範囲】
【請求項１】
少なくとも一端側の形状がテーパ状とされ、先端部が頭皮毛穴よりも細い直径とされた用毛が複数束ねられてなる毛束と、弾性材料からなり先端部が面取りされてなる錐体状突起と、前記毛束が植毛される植毛穴が複数設けられるとともに、前記錐体状突起が取付けられる突起取付穴が複数設けられたブラシ面を有する基台とを具備し、前記植毛穴の各々に、該植毛穴内部が外部から観察されない状態の密度で前記毛束が植毛され、且つ、前記突起取付穴の各々に前記錐体状突起が取付けられてなる頭皮用ブラシであって、
前記ブラシ面上において、前記毛束が前記ブラシ面の周縁に沿った外周部に配されるとともに、前記錐体状突起が前記毛束の植設された外周部よりも内側に配されてなることを特徴とする頭皮用ブラシ。
【請求項２】
前記毛束は、前記ブラシ面上において、該毛束が植毛される前記植毛穴を３〜９個で１ユニットとした際、１ユニット内における任意の２箇所の植毛穴の中心間距離が２ｍｍ以上１５ｍｍ未満の範囲であり、且つ、任意の１ユニットの中心点から最も近い１ユニットの中心点までの距離が１０ｍｍ以上２５ｍｍ未満の範囲として配された各々の植毛穴に植毛されていることを特徴とする請求項１に記載の頭皮用ブラシ。
【請求項３】
前記ブラシ面上において、前記毛束をなす用毛の前記ブラシ面からの長さ寸法が、前記錐体状突起の前記ブラシ面からの長さ寸法よりも１ｍｍ以上５ｍｍ以下の範囲で長い寸法とされていることを特徴とする請求項１又は２に記載の頭皮用ブラシ。
【請求項４】
前記錐体状突起の各々は、前記ブラシ面上において、隣接する錐体状突起の根元の間に５ｍｍ以上３０ｍｍ以下の範囲の間隔を設けて前記突起取付穴に取付けられることを特徴とする請求項１〜３の何れか１項に記載の頭皮用ブラシ。
【請求項５】
前記錐体状突起の各々は、前記ブラシ面上において、円状、横縞状、市松状、十字状又は放射状の何れかの配列とされ、前記突起取付穴に取付けられることを特徴とする請求項１〜４の何れか１項に記載の頭皮用ブラシ。
【請求項６】
前記植毛穴が設けられる外周部の面積が、前記ブラシ面に対する面積比で４０％以上６０％以下の範囲とされていることを特徴とする請求項１〜５の何れか１項に記載の頭皮用ブラシ。
【請求項７】
さらに、開口部を有して中空状に形成された筐体が備えられるとともに、該筐体の前記開口部に前記基台が一体に取り付けられており、前記基台のブラシ面の略中央部及び／又は周縁部に、前記基台を貫通するように、少なくとも一以上の貫通孔が設けられていることを特徴とする請求項１〜６の何れか１項に記載の頭皮用ブラシ。
【発明の詳細な説明】
【技術分野】
【０００１】
本発明は、先端部が頭皮毛穴よりも細い直径とされた用毛を用いて頭皮表面のみならず毛穴内部の汚れも効果的に除去することができるとともに、優れたマッサージ効果が得られる頭皮用ブラシに関する。
【背景技術】
【０００２】
従来から、頭皮や頭髪を洗浄するためのブラシとして種々のものが知られており、例えば、ブリッスル（用毛）先端に球状体を有するブラシ（特許文献１を参照）や、球状体を有する用毛と球状体を有しない用毛を組合せたもの（特許文献２を参照）、長さ方向の外周面が凹曲面である略円錐形の用毛を有するもの（特許文献３を参照）、用毛先端が頭皮に触れて柔軟に屈曲する小突起のあるもの（特許文献４を参照）、用毛先端が開口しているもの(特許文献５を参照)等が提案されている。
【０００３】
また、従来、頭皮に対して洗浄効果とともにマッサージ効果を与えるためのブラシとして、エラストマー樹脂からなる複数の突起がブラシ面に植設されてなる頭皮マッサージ用ブラシが提案されている（例えば、特許文献６を参照）。しかしながら、特許文献６に記載のブラシでは、毛穴の大きさに対して突起のスケールが大きいため、毛穴内部の汚れの除去が不充分となるという問題がある。
【０００４】
上述のような、毛穴内部の洗浄力の問題を解決するため、先端部が頭皮毛穴よりも細い直径とされたテーパ状の用毛を用いることにより、毛穴内部の汚れを効果的に除去可能な頭皮用ブラシが提案されている（例えば、特許文献７を参照）。しかしながら、特許文献７に記載の頭皮用ブラシでは、細径用毛が用いられることにより、毛穴内部の洗浄効果に優れるものの、頭皮に対するマッサージ効果が低いという問題があった。
【０００５】
また、頭皮の毛穴を洗浄するとともに、頭皮に対してマッサージ効果を付与するため、細径のブリッスルの束と太径のブリッスルとが、所定の配列で適宜等間隔に配列されてなるブラシが提案されている（例えば、特許文献８、９を参照）。特許文献８、９に記載のブラシによれば、細径ブリッスルによって毛穴を洗浄できるとともに、太径のブリッスルによって頭皮にマッサージ効果を付与できるものとされている。
しかしながら、特許文献８、９に記載の構成では、細径のブリッスルの束と太径のブリッスルとが各々隣接して配列されているので、洗浄効果とマッサージ効果の両方を同時に得るのが困難であるという問題があった。
【特許文献１】実開昭５４−８７２７２号公報
【特許文献２】実開昭５４−１６６７３号公報
【特許文献３】実開平３−１０２９２８号公報
【特許文献４】特開２００５−１６０６８４号公報
【特許文献５】実用新案登録第３１１３００２号公報
【特許文献６】特開２００６−１３６３６０号公報
【特許文献７】特開２００７−２８２６８１号公報
【特許文献８】特開平１１−７００１９号公報
【特許文献９】特許第３０７６３１３号公報
【発明の開示】
【発明が解決しようとする課題】
【０００６】
一方、頭皮に対してマッサージ効果を付与できるブラシを実現するため、先端部が頭皮毛穴よりも細い直径とされたテーパ状の用毛からなる毛束を用いるとともに、ブラシ面上において、毛束の配置を所定の配列でパターン化すること等も提案されている。
しかしながら、このような毛束の配置が所定の配列とされたブラシを、例えば、毛髪の長い使用者が洗髪に使用した場合、毛束を構成する用毛に毛髪が絡みつきやすいため、用毛の先端が頭皮に確実に到達するのが困難になる虞がある。このような場合には、頭皮における高いマッサージ効果が得られ難くなるとともに、使用者が頭皮への用毛の到達を実感し難いために、ブラシ使用によるマッサージ効果感がさらに低いものとなってしまう問題があった。
【０００７】
本発明は上記問題に鑑みてなされたものであり、頭皮のマッサージ効果と毛穴内部の洗浄効果の両方を同時に満足することが可能な頭皮用ブラシを提供することを目的とする。
【課題を解決するための手段】
【０００８】
上記問題を解決するため、本発明者等が鋭意検討した結果、頭皮用ブラシのブラシ面において、用毛が複数束ねられてなる毛束と、弾性材料からなる錐体状突起との配置を適正化することにより、頭皮のマッサージ効果と毛穴内部の洗浄効果の両方を同時に満足することができることを見出し、本発明を完成した。
【０００９】
即ち、本発明は、少なくとも一端側の形状がテーパ状とされ、先端部が頭皮毛穴よりも細い直径とされた用毛が複数束ねられてなる毛束と、弾性材料からなり先端部が面取りされてなる錐体状突起と、前記毛束が植毛される植毛穴が複数設けられるとともに、前記錐体状突起が取付けられる突起取付穴が複数設けられたブラシ面を有する基台とを具備し、前記植毛穴の各々に、該植毛穴内部が外部から観察されない状態の密度で前記毛束が植毛され、且つ、前記突起取付穴の各々に前記錐体状突起が取付けられてなる頭皮用ブラシであって、前記ブラシ面上において、前記毛束が前記ブラシ面の周縁に沿った外周部に配されるとともに、前記錐体状突起が前記毛束の植設された外周部よりも内側に配されてなることを特徴とする頭皮用ブラシを提供する。
【００１０】
また、本発明の頭皮用ブラシは、前記毛束が、前記ブラシ面上において、該毛束が植毛される前記植毛穴を３〜９個で１ユニットとした際、１ユニット内における任意の２箇所の植毛穴の中心間距離が２ｍｍ以上１５ｍｍ未満の範囲であり、且つ、任意の１ユニットの中心点から最も近い１ユニットの中心点までの距離が１０ｍｍ以上２５ｍｍ未満の範囲として配された各々の植毛穴に植毛されてなる構成とすることができる。
また、本発明の頭皮用ブラシは、前記ブラシ面上において、前記毛束をなす用毛の前記ブラシ面からの長さ寸法が、前記錐体状突起の前記ブラシ面からの長さ寸法よりも１ｍｍ以上５ｍｍ以下の範囲で長い寸法とされた構成とすることができる。
また、本発明の頭皮用ブラシは、前記錐体状突起の各々が、前記ブラシ面上において、隣接する錐体状突起の根元の間に５ｍｍ以上３０ｍｍ以下の範囲の間隔を設けて前記突起取付穴に取付けられる構成とすることができる。
また、本発明の頭皮用ブラシは、前記錐体状突起の各々が、前記ブラシ面上において、円状、横縞状、市松状、十字状又は放射状の何れかの配列とされ、前記突起取付穴に取付けられる構成とすることができる。
【００１１】
また、本発明の頭皮用ブラシは、前記植毛穴が設けられる外周部の面積が、前記ブラシ面に対する面積比で４０％以上６０％以下の範囲とされた構成とすることができる。
また、本発明の頭皮用ブラシは、さらに、開口部を有して中空状に形成された筐体が備えられるとともに、該筐体の前記開口部に前記基台が一体に取り付けられており、前記基台のブラシ面の略中央部及び／又は周縁部に、前記基台を貫通するように、少なくとも一以上の貫通孔が設けられた構成とすることができる。
【発明の効果】
【００１２】
本発明の頭皮用ブラシによれば、基台に備えられるブラシ面上において、少なくとも一端側の形状がテーパ状とされ、先端部が頭皮毛穴よりも細い直径とされた用毛が複数束ねられてなる毛束が前記ブラシ面の周縁に沿った外周部に配されるとともに、弾性材料からなり先端部が面取りされてなる錐体状突起が前記毛束の植設された外周部よりも内側に配されてなる構成により、高い毛穴洗浄効果が得られるとともに、頭皮に適度な刺激感が与えられるので高いマッサージ効果が得られる。
【発明を実施するための最良の形態】
【００１３】
以下、本発明に係る頭皮用ブラシの一実施形態について、図１〜８を適宜参照しながら説明する。
図１（ａ）、（ｂ）は本発明に係る頭皮用ブラシの一例を示す模式図であり、図２は図１（ｂ）の主要部を拡大して詳細に示した図である。また、図３は頭皮用ブラシの用毛に用いられる細径ブリッスルの一例を示す概略図であり、図４は基台上に植毛された状態の用毛（毛束）を示す概略図である。また、図５は頭皮用ブラシの錐体状突起の一例を示す概略図であり、図６は基台上に取付けられた状態の錐体状突起を示す概略図である。また、図７（ａ）〜（ｉ）は頭皮用ブラシのブラシ面における用毛の配列パターンの他の例を示す概略図であり、図８はブラシ面に略中央部に基台を貫通するように貫通孔が設けられた他の例を示す概略図である。
【００１４】
本実施形態の頭皮用ブラシ１は、少なくとも一端側の形状がテーパ状とされ、先端部３１ａが頭皮毛穴よりも細い直径とされた用毛３１が複数束ねられてなる毛束３と、弾性材料からなり先端部５ａが面取りされてなる錐体状突起５と、毛束３が植毛される植毛穴２２が複数設けられるとともに、錐体状突起が取付けられる突起取付穴２３が複数設けられたブラシ面２１を有する基台２とを具備し、植毛穴２２の各々に、該植毛穴２２内部が外部から観察されない状態の密度で毛束３が植毛され、且つ、突起取付穴２３の各々に錐体状突起５が取付けられてなり、ブラシ面２１上において、毛束３がブラシ面２１の周縁２１ａに沿った外周部２１ｂに配されるとともに、錐体状突起５が毛束３の植設された外周部２１ｂよりも内側に配され（図２における符号２１ｃの内周部を参照）、概略構成されている。
また、本実施形態の頭皮用ブラシ１は、図１に示す例では、さらに、開口部４１を有する中空状（図１（ａ）の中空部４ａ参照）に形成された筐体４が備えられるとともに、該筐体４の開口部４１に、基台２が一体に取り付けられてなる。
【００１５】
基台２は、用毛３１からなる複数の毛束３及び錐体状突起５が取付けられるものであり、ブラシ面２１に、毛束３を植毛するための植毛穴２２が複数形成されるとともに、錐体状突起５が取付けられる突起取付穴２３が複数形成されている。また、図示例の基台２は、平面視略楕円形の平板状に形成されている。
基台２の材質としては、ポリプロピレン等、一般的な硬質樹脂材料を何ら制限無く用いることができる。
【００１６】
植毛穴２２の大きさや形状は特に制限されず、例えば、一穴あたり１０〜３０本程度の用毛を植毛するのに必要な大きさであれば良い。また、植毛穴２２の形状としては、一般的に円形とすることができるが、例えば、特開２０００−５０９５５号公報等に示されているように、ブラシの品質向上や製造効率の向上を目的として、真円形状の他、非円形状に形成しても良い。
また、植毛穴２２は、ブラシ面２１上における配列パターンを毛束３の植毛パターンに応じて形成する必要があり、図２に示す例では、所定間隔で組み合わされた植毛穴２２が三穴ずつ並行で計６穴配されて１ユニットとされており、これら各ユニットが、詳細を後述する配置パターンにより、ブラシ面２１上における外周部２１ｂの領域に適宜配列される。
【００１７】
突起取付穴２３の大きさや形状は、特に制限されず、取付けられる錐体状突起の大きさや形状に合わせて適宜決定すれば良く、上述した植毛穴２２と同様、円形の他、非円形状等に形成しても良い。
また、突起取付穴２３は、ブラシ面２１上における配列パターンを、詳細を後述する錐体状突起５の取付パターンに応じて形成する必要があり、図２に示す例では、突起取付穴２３が計１０個、ブラシ面２１上における外周部２１ｂよりも内側の内周部２１ｃに配されている。また、図示例では、ブラシ面２１の内周部２１ｃにおいて、８個の突起取付穴２３が楕円形状に配され、この楕円形状の内側に２個の突起取付穴２３が配されている。
【００１８】
なお、図示例の基台２には、後述の筐体４に取り付けるための嵌合爪２４が、楕円形状とされた基台２の短寸側の経線上で向かい合うように配置されているが、基台２を筐体４に取り付けるための手段はこれには限定されない。例えば、嵌合爪が、基台上において図示例とは異なる位置に配置されていても良いし、基台をねじ止め等によって筐体に取り付ける構成としても良い。
【００１９】
毛束３は、用毛３１が複数束ねられてなる。
用毛３１は、図３に示すように、少なくとも一端側の形状がテーパ状とされ、図示例では、両端の先端部３１ａがテーパ状に形成されている。また、先端部３１ａは、少なくともその端面３１ｂ付近における直径ｄが、頭皮の毛穴よりも細い径とされている。
【００２０】
図示例のように、用毛３１をなす細径ブリッスルについて、各々の先端部３１ａをテーパ形状に構成することにより、頭皮上の毛髪に先端部３１ａの毛先（端面３１ｂ参照）が当たった際に生じる微弱な力であっても先端部３１ａが容易に曲がるので、毛先が毛髪間をすり抜けるように頭皮の毛穴に到達することが可能となる。また、このようなテーパ状の用毛３１を用いて毛束３を構成することにより、用毛先端が頭皮の毛穴内部に確実に入り込み、毛穴内部の汚れを効果的に除去することができる。また、この際、複数の毛束３（用毛３１）の先端が略一つの平面を構成することにより、特定の用毛のみが頭皮に強く当たることで頭皮を傷めるのを防止することができる。
なお、テーパ形状とされた用毛は先端部の強度が弱いため、極度に強い力を加えて頭皮の洗浄やマッサージを行った際に毛先が曲がってしまい、毛穴の洗浄を行うことが困難となることがある。このため、頭皮洗浄時に使用者がブラシに加える荷重としては、概ね３００〜１０００ｇ程度とすることが好ましい。
【００２１】
用毛３１は、上記した先端部３１ａの端面３１ｂから０．１ｍｍの位置における直径ｄが、５μｍ〜５０μｍの範囲であることが好ましい。先端部３１ａの端面３１ｂ付近における直径ｄをこの範囲とすることにより、用毛３１が効率良く毛髪の毛穴内部に入り込み、効果的に洗浄することが可能となる。
【００２２】
ここで、頭皮用ブラシにおいて、太径の用毛を使用せずに細径の用毛のみが密に植毛された構成とすれば、頭皮毛穴を洗浄することは可能と考えられる。しかしながら、人間の毛髪の直径は、人種、性別、年齢、くせ毛の有無などによって異なるものの、一般的な日本人では４０〜１００μｍ程度であり、平均７０μｍ程度であるので、数本の毛髪が生える１つの毛穴の大きさは、毛髪の直径と同等かそれ以上の大きさと考えられ、平均７０μｍ以上であると考えられる。しかしながら、上述のような、毛穴のサイズよりも細い直径とされ、毛穴に挿入可能な径とされた細径用毛をブラシ面に対して密に植毛してブラシを構成した場合、毛束の先端が面のような状態となり、洗髪時等に頭皮の毛根に毛束を押しつけようとしても、通常のサイズの毛髪を有する人にあっては、多数の毛髪が細径用毛の進行の阻害となり易い。このため、細径用毛が容易に撓んでしまい、細径用毛が毛穴に到達できる本数が少なくなるので、目的の毛穴洗浄効果が得られにくい。一方、用毛をブラシ面に対して粗な状態で植毛した場合には、用毛の先端の頭皮への到達感は得られるものの、頭皮に対する刺激が過剰となり、良好な使用感が得られないという問題がある。
【００２３】
本実施形態の頭皮用ブラシ１では、毛穴内部の脂質等の汚れを除去するため、先端部３１ａが毛穴の直径より細いブラシ用毛を使用し、且つ、用毛３１が束ねられてなる毛束３を、ブラシ面２１上の外周部２１ｂに配置することにより、用毛３１（毛束３）が毛髪に動きを阻害されることなく頭皮の毛穴に行き届き易くなり、優れた洗浄効果が得られる。また、頭皮から抜けた毛髪が用毛３１に絡み難く、仮に絡んだ場合であっても容易に解除することができるので、優れたメンテナンス性が得られる。
またさらに、本実施形態の頭皮用ブラシ１では、詳細を後述する錐体状突起５を、ブラシ面２１上における外周部２１ｂの内側、つまり、図２に示す内周部２１ｃに、適宜間隔を設けて配置することにより、毛髪が錐体状突起５に絡まることなく、使用者が適度なマッサージ感を得ることが可能となる。
【００２４】
毛束３をなす用毛３１の毛丈は、５〜３０ｍｍの範囲とすることが好ましい。
用毛の毛丈が５ｍｍよりも短いと、毛髪が障害となって用毛（毛束）が頭皮毛穴に届かない虞がある。また、用毛３１の毛丈が３０ｍｍよりも長いと、用毛が曲がりやすくなり、先端部が頭皮の地肌や毛穴に届き難くなる。
なお、植毛された用毛３１（毛束３）の毛丈に多少のばらつきが生じる場合もあるが、植毛された全用毛３１の内の概ね９割以上が、上記５〜３０ｍｍの毛丈の範囲に入っていることが品質上好ましく、１０〜２０ｍｍの範囲に入っていることがより好ましい。
また、詳細を後述するが、毛束３をなす用毛３１の毛丈は、図４に示すブラシ面２１からの長さＨ１が、後述の錐体状突起５のブラシ面２１からの長さＨ２（図６を参照）よりも、１ｍｍ以上５ｍｍ以下の範囲で長い寸法となるように構成することが、頭皮用ブラシによる洗浄効果及びマッサージ効果の両方がより高められる点から好ましい。
【００２５】
植毛穴２２の一穴あたりにおける用毛の植毛数は、植毛穴２２内部が外部から観察できない状態の密度とすることが好ましく、具体的には、一穴あたりの用毛３１の植毛数が１０〜３０本であることが好ましい。用毛３１の植毛数が、植毛穴３２内部を外部から観察できる程度の少ない状態になると、毛束３に抜けた毛髪が絡みやすくなり、また、毛髪を除去し難くなるので好ましくない。また、植毛穴２２内に、洗髪時に使用する洗浄剤やリンス剤等が浸入して詰まり易くなるので、頭皮用ブラシの衛生上好ましくない。
これに対し、植毛穴２２内部が外部から観察できない状態の密度となる本数の用毛が植毛されてなる本発明に係る頭皮用ブラシでは、毛束３内に抜けた毛髪が絡みつくことがなく、また、植毛穴２２内部に観察可能な隙間がないので、洗浄剤等が浸入して詰まるのが抑制される。
【００２６】
なお、植毛穴２２の断面積に対して用毛３１（毛束３）の植毛数が少ないと、用毛３１間に僅かな隙間が生じ、頭皮用ブラシの使用者によって個人差があるものの概ね７０μｍの太さである毛髪が用毛３１間の僅かな隙間に挟まれてしまい、極めて除去し難い状態となる虞がある。
【００２７】
以下に、植毛穴２２に対する用毛３１の植毛密度の参考例を説明する。
例えば、直径が１．５ｍｍとされた植毛穴２２に、細径ブリッスル中央部の直径が１９０μｍの用毛３１を植毛する場合、２１本の用毛３１を、厚さ０．２５ｍｍの平線で用毛３１の中央部で固定して植毛すると、植毛穴２２内部が外部から観察できない状態の密度とすることができる。このような植毛穴２２内の状態について、断面積で検討すると、植毛穴２２の断面積＝０．７５×０．７５×３．１４＝１．７７ｍｍ２に対し、用毛３１が占める断面積は、０．０９５×０．０９５×３．１４×２１×２＝１．１９ｍｍ２となり、植毛穴２２の断面積の内の６７％が用毛３１で占められている状態となる。
また、本発明者等が鋭意実験した結果、用毛３１の植毛数を１３本とした場合は、植毛穴２２の断面積に対して用毛３１の断面積が占める割合が４２％となり、この４２％という割合が、植毛穴２２内部が外部から観察されない状態と観察可能な状態との境界となることが見出された。植毛穴２２の断面積に対する用毛３１の断面積の占める割合が、境界である４２％未満になると、植毛穴２２内部が外部から観察可能な状態となり、このような状態においては、直径が概ね７０μｍ程度である毛髪が、用毛３１に絡みつきやすくなる。
【００２８】
毛髪の絡み易さの点から考慮した場合、植毛穴２２の断面積に対する用毛３１の断面積の割合が、上記境界である４２％を下回ると毛髪が用毛３１に絡みつきやすくなることから、上記割合を４２％以上８５％以下とすることが好ましい。用毛２１が植毛穴２２内において占める割合が８５％を超えると、植毛穴２２を起点として基台２が割れやすくなるうえ、植毛された用毛３１が開く虞があり好ましくない。
また、植毛穴２２に対する植毛数が１０本よりも少ないと頭皮毛穴の洗浄効果が低下し、植毛数が５０本よりも多いと、径の大きな植毛穴を基台２に形成する必要があるため、植毛穴２２内に、洗髪時に使用する洗浄剤やリンス剤等が浸入して詰まり易くなり、頭皮用ブラシの衛生上好ましくない。
また、上記植毛数にばらつきが生じる場合もあるが、用毛３１（毛束３）が植毛された植毛穴２２内の概ね９割以上において、用毛３１の植毛数が１０〜３０本の範囲内とされていることが品質上好ましく、１０〜２５本の範囲であることがより好ましい。
い。
【００２９】
本実施形態で用いられる用毛３１を構成する細径ブリッスルの材料については、特に制限されないが、一般的な樹脂材質であるポリブチレンテレフタレート（ＰＢＴ）、ポリエチレンテレフタレート（ＰＥＴ）、ポリトリメチレンテレフタレート（ＰＴＴ）、ナイロン、ポリエステル等を用いることが好適である。また、例えば、特開平１１−２５３２３６に記載されているような、美観向上等を目的として、合成樹脂主体の素材に他成分を混合したものや、耐久性の向上を目的として抗菌剤等を添加したものを使用することも可能である。
なお、用毛３１の材質として金属等の硬い素材を用いる場合、ブリッスル径が細いものでも強度を確保することができるため、図３又は図４に示すようなテーパ形状の細径ブリッスルのみならず直毛状のものを用いることも可能である。しかしながら、このような直毛状の金属製ブリッスルを用いた場合、ブラシ使用時に用毛が折れた際に欠損切断面が鋭利な形状となり、マッサージ時に頭皮の地肌を傷つけるため、安全性上好ましくない。
【００３０】
なお、用毛３１に用いる細径ブリッスルを図３に示すようなテーパ形状に加工する方法としては、特に制限されない。例えば、直毛形状のブリッスルを用い、薬品等を用いる従来公知の化学的方法で樹脂を溶解して先端をテーパ状に加工しても良いし、また、直毛形状の用毛の先端部周囲を機械加工によって研削することでテーパ状に加工することも可能である。
【００３１】
また、上記用毛３１が複数束ねられてなる毛束３を、基台２の植毛穴２２に植毛する方法としては、例えば、一般的に歯刷子製造等に用いられる植毛装置を転用し、何ら制限なく用いることが可能であり、このような植毛装置の形態についても何ら制限されない。このような植毛装置としては、例えば、特開２０００−９３２３３号公報等に記載の製造装置を使用することが可能である。
【００３２】
そして、毛束３（用毛３１）並びに後述の錐体状突起５が取付けられた基台２は、通常、取っ手等の把持部材が取り付けられ、包装されてブラシ製品とされるが、本実施形態では、基台２を後述の筐体４に取り付けることにより、頭皮用ブラシ１とする。
なお、例えば、特開２００１−４６１４９号公報等に示されるように、植毛後のブラシ（毛束３）の品質を向上させる等の目的で、中間品である毛束３植毛後の基台２に対して、冷却或いは加熱による熱処理を施す等、何らかの処理を施す方法についても、本発明の効果を損なわない範囲で適用することが可能である。
【００３３】
錐体状突起５は、上記毛束３（毛束３１）とともに基台２のブラシ面２１に取付けられる突起部材であり、上述したブラシ面２１の内周部２１ｃに形成される突起取付穴２３に嵌合等の手段によって取付けることができる。また、錐体状突起５は、例えば、基台の裏側にさらに基板を設け、この基板に錐体状突起５を取付けて基台に設けられる貫通孔に挿通する構成とすることも可能である。
錐体状突起５は、図５、６に示す例では、基部５ｂから先端部５ａに向かうに従って縮径する略円錐状に形成されるともに、先端部５ａが曲面状に面取りされた形状とされているが、これには限定されず、例えば、錐体状突起の先端に、さらに単数あるいは複数の真円状突起が設けられた構成とすることも可能である。
【００３４】
また、錐体状突起５は、上述した突起取付穴２３に複数取付けられることにより、ブラシ面２１上の内周部２１ｃにおいて突起取付穴２３と同様の配列パターンで配され、図２に示す例では、錐体状突起５が計１０個設けられている。また、図示例においては、ブラシ面２１の内周部２１ｃにおいて、８個の錐体状突起５が楕円形状に配され、この楕円形状の内側に２個の錐体状突起５が配されている。
【００３５】
円錐状突起５が基台２に取付けられる基部５ｂの部分の直径は、強度確保等の観点から、例えば、５〜９ｍｍの範囲であることが好ましい。
また、先端から０．１ｍｍの部分における直径は０．４〜１ｍｍの範囲であることが好ましい。直径が０．４ｍｍだと、目的とするマッサージ効果が充分に得られず、また、１ｍｍよりも大きいと、頭皮の洗浄実感が低下するため好ましくない。
【００３６】
また、錐体状突起５の長さ、つまり、基台２のブラシ面２１からの長さＨ２は、５〜３０ｍｍの範囲とすることが好ましい。錐体状突起の長さＨ２が５ｍｍよりも短いと、毛髪が障害となって突起先端部が頭皮毛穴に届かない虞がある。また、錐体状突起の長さＨ２が３０ｍｍよりも長いと、錐体状突起が曲がりやすくなり、突起先端部が頭皮の地肌や毛穴に届き難くなる。また、用毛３１（毛束３）と同様、錐体状突起５の長さに多少のばらつきが生じる場合もあるが、基台２のブラシ面２１に取付けられた全ての錐体状突起５の内の概ね９割以上が、上記５〜３０ｍｍの長さの範囲に入っていることが品質上好ましく、１０〜２０ｍｍの範囲に入っていることがより好ましい。
【００３７】
また、錐体状突起５の長さは、図６に示すブラシ面２１からの長さＨ２が、毛束３をなす用毛３１のブラシ面２１からの長さＨ１（図４を参照）に比べて１ｍｍ以上５ｍｍ以下の範囲で短い寸法、つまり、用毛３１の毛丈（長さ）が錐体状突起５の長さよりも上記範囲で長くなるように構成することが好ましい。
このように、ブラシ面２１上における毛束３をなす用毛３１の長さを、錐体状突起５の長さよりも上記範囲で短く構成することにより、細径ブリッスルからなる用毛３１が効率よく確実に頭皮に到達するとともに、弾性材料からなる錐体状突起５に確実に頭皮に到達してマッサージ効果を付与できる。これにより、用毛３１による頭皮毛穴の洗浄効果と、錐体状突起５による頭皮のマッサージ効果の両方を高めることが可能となる。
基台２のブラシ面２１からの、用毛３１の長さＨ１と錐体状突起５の長さＨ２との差が１ｍｍ未満だと、用毛３１（毛束３）の先端と錐体状突起５の先端とが略面状となりやすいため、用毛先端が頭皮に接する力が弱まり、毛穴内部の洗浄効果が充分に得られなくなる虞がある。また、用毛３１の長さＨ１と錐体状突起５の長さＨ２との差が５ｍｍを超えると、錐体状突起の先端が頭皮に到達せず、充分なマッサージ効果が得られなくなる虞がある。
【００３８】
錐体状突起５を構成する材料としては、デュロメータ・タイプＡによりＪＩＳＫ６２５１に準拠して測定された数値（ショアＡ硬度）が４０度以上９０度以下（より好ましくは４０度以上８０度以下）の材料を用いることができ、例えば、ポリエチレン、ポリプロピレン等のポリオレフィン系樹脂、ナイロン、ポリアセタール等の合成樹脂や、ウレタンゴム、シリコーン、ポリエチレン、ポリプロピレン、エラストマー等の弾性材料が挙げられる。これらの中でも、エラストマー樹脂を用いることが、頭皮に対して効率良くマッサージ効果を付与できる点でより好ましい。
【００３９】
筐体４は、開口部４１を有するとともに、内部が中空部４ａとされた中空状に形成され、図示例では、開口部４１と反対側に把持部４２が形成されてなる。また、開口部４１には、上述した基台２に備えられる嵌合爪２４が嵌め込まれる嵌合部４１ａが、基台２組み付け時の嵌合爪２４の位置に合わせるように配されている。
筐体４は、上述したように、開口部４１に基台２が一体に取り付けられることにより、頭皮用ブラシ１の本体或いは把持部材として機能するものであり、ポリスチレン系樹脂等、従来公知の材料を何ら制限無く用いて構成することができる。
また、図示例の把持部４２は、使用者が片手で掴んで操作することができるように、先端部に膨らみが持たされた形状とされているが、これには限定されず、把持部の形状や大きさについては、適宜決定することができる。
【００４０】
「毛束と錐体状突起の配列パターン：植毛穴と突起取付穴の配列パターン」
本実施形態の頭皮用ブラシ１は、上述したように、ブラシ面２１上において、毛束３がブラシ面２１の周縁２１ａに沿った外周部２１ｂに配されるとともに、錐体状突起５が毛束３の植設された外周部２１ｂよりも内側の内周部２１ｃに配された構成とされている。このような構成により、頭皮用ブラシ１は、用毛３１による頭皮の毛穴内部の洗浄効果と、錐体状突起５による頭皮のマッサージ効果の両方を得ることが可能となる。
【００４１】
図２に示すように、本実施形態の頭皮用ブラシ１は、基台２のブラシ面２１上において、外周部２１ｂの領域に、植毛穴２２が６個で１ユニットとされ、計１０ユニットが、周縁２１ａに沿って略等間隔で配置されており、これら植毛穴２２の各々に毛束３が植毛される。
また、本実施形態の頭皮用ブラシ１は、錐体状突起５が、基台２のブラシ面２１上において、内周部２１ｃの領域に錐体状突起５が計１０個設けられ、図示例では、８個の錐体状突起５が楕円形状に配され、この楕円形状の内側に２個の錐体状突起５が配されている。
【００４２】
（錐体状突起：突起取付穴の配列パターン）
錐体状突起５は、図２に示す例のようなブラシ面２１上の内周部２１ｃにおいて、隣接する錐体状突起５の各々の根元の間に５ｍｍ以上３０ｍｍ以下の範囲の間隔Ｃ１を設けて配置されていることが好ましく、７ｍｍ以上２２ｍｍ以下の範囲で間隔が設けられていることがより好ましい。複数の錐体状突起５の各々の間隔Ｃ１を上記範囲とすることにより、毛髪をかき分ける効果に優れるとともに、外周部２１ｂに植毛される毛束３（用毛３１）の先端を頭皮に到達させることができ、また、錐体状突起５の先端部５ａによる優れたマッサージ効果が得られる。隣接する錐体状突起の各々の根元の間の間隔Ｃ１が５ｍｍ未満だと、毛髪が錐体状突起に絡まり易くなり、洗髪時の頭皮用ブラシの櫛通りが低下する。また、隣接する錐体状突起の各々の根元の間の間隔Ｃ１が３０ｍｍを超えると、頭皮に付与される所望のマッサージ効果が得られなくなる虞がある。
【００４３】
また、各々の錐体状突起５の配列パターンは、図２に示す例のような、楕円形状を基本としたものには限定されず、例えば、図７（ａ）〜（ｉ）に示すような各種配置パターンとすることができ、円状、横縞状、市松状、十字状又は放射状等、配列パターンは適宜採用することが可能である。また、これらの中でも、円形状（真円形状、楕円形状を含む）、横縞状に配置されることがより好ましい。
【００４４】
また、ブラシ面２１上の内周部２１ｃに取付けられる錐体状突起５の数は、３〜２５本の範囲が好ましく、５〜２０本の範囲がより好ましい。錐体状突起５の数が上記範囲であれば、頭皮に対して効率良くマッサージ効果を付与することができ、また、使用者が良好なマッサージ感を得ることができる。
【００４５】
（毛束：植毛穴の配列パターン）
本実施形態では、ブラシ面２１上において外周部２１ｂに配置された植毛穴２２を２〜６個で１ユニットとし、１ユニット内における任意の２箇所の植毛穴２２の中心間距離が、最短部距離Ｌ１で２ｍｍ以上、最長部距離Ｌ２で１５ｍｍ未満とされ、且つ、任意のユニットの中心点から、最も近いユニットの中心点までの最短中心点距離が１０ｍｍ以上２５ｍｍ未満の範囲として構成されることが好ましい。図２に示す例では、植毛穴２２が長方形状に６穴配置されることで１ユニットとされ、１ユニット内における任意の２箇所の植毛穴２２の中心間距離が、最短部距離Ｌ１で３．３ｍｍ、最長部距離Ｌ２で約８．５ｍｍとされ、最も近いユニット中心点間の最短中心点距離Ｌ３が、最短部で１６ｍｍとされている。
【００４６】
本実施形態では、上述のような植毛穴２２の配列形態とすることにより、詳細な図示を省略するが、ブラシ面２１上の外周部２１ｂにおいて、植毛領域と無植毛領域とが配される構成とすることが好ましい。
ここで、本発明で説明する植毛領域とは、植毛穴２２が密集する領域、つまり、植毛穴２２に毛束３（用毛３１）が植毛されることによって該毛束３が密集する領域であり、上述のように、植毛穴２２が比較的近距離のユニット単位で配されることで構成される。一方、無植毛領域とは、ブラシ面２１上において、植毛穴２２が設けられていない領域あるいは植毛穴２２が疎な状態で配されている領域であり、毛束３（用毛３１）が植毛されていないか、あるいは、疎な状態で植毛された領域である。つまり、図２に示す例では、６穴の植毛穴２２からなる各ユニットが植毛領域であり、各ユニットからなる植毛領域間の隙間領域が無植毛領域である。
本発明では、上述のように、ブラシ面２１上の外周部２１ｂにおいて植毛領域と無植毛領域とが配される構成により、植毛穴２２、つまり複数の毛束３が均等に分布された場合に比べ、高いマッサージ効果が得られるとともに、高い頭皮毛穴洗浄効果が得られる。
【００４７】
ここで、従来の構成の頭皮用ブラシにおいては、植毛穴を密集させ過ぎた状態で均等配置した場合には、毛束の頭皮への当たり心地が弱すぎて洗浄感が得られ難いという問題がある。一方、無植毛領域が多過ぎると、頭皮への当たりが強すぎて使用者が痛みを感じ、使い心地が良くないうえに洗浄効果も低下し、また、洗浄剤等を用毛の先端部に保持させることが困難となり、用毛の先端部が頭皮毛穴に入り込む際に洗浄剤を伴わないため、汚れの洗浄実感が得られないという問題があった。
本発明者等が鋭意研究したところ、充分な汚れの洗浄実感とマッサージ効果を同時に得られる条件として、３〜９穴の植毛穴２２、より好ましくは４〜６穴の植毛穴２２を１ユニットとし、この場合の１ユニット内における任意の２つの植毛穴２２の中心間距離の最短部距離Ｌ１を２ｍｍ以上、最長部距離Ｌ２を１５ｍｍ未満、より好ましくは最短部距離Ｌ１を２．５ｍｍ以上、最長部距離Ｌ２を１０ｍｍ未満に構成するとともに、任意のユニットの中心点から最も近いユニットの中心点までの距離Ｌ３を１０ｍｍ以上２５ｍｍ未満、より好ましくは１２ｍｍ以上２０ｍｍ未満で構成することが重要であることが明らかとなった。
【００４８】
１ユニットあたりの植毛穴２２の穴数が３未満の場合、頭皮への当たり心地が悪く充分なマッサージ効果が得られない。逆に、１ユニットあたりの植毛穴２２の穴数を１０以上にすると、ブラシ面２１上に配される各ユニット内の毛束３が略面接触状態で頭皮に接するためにマッサージ効果が得られず、また、用毛が効率的に頭皮毛穴に進入できないため、毛穴汚れの除去、洗浄効果が充分に得られない。
【００４９】
１ユニット内における任意の２つの植毛穴２２の中心間の距離Ｌ１の最短部が２ｍｍ未満だと、各ユニット内の毛束３が面接触状態で頭皮に接するためにマッサージ効果が得られず、また、用毛が効率的に頭皮毛穴に進入できないため、毛穴汚れの除去、洗浄効果が充分に得られない。１ユニット内の任意の２つの植毛穴２２の中心間の距離Ｌ１の最長部が７ｍｍ以上だと、頭皮への当たり心地が低下する。
【００５０】
任意のユニットの中心点から最も近いユニットの中心点までの距離Ｌ３が１０ｍｍ未満の場合、また、任意のユニットの中心点から最も近いユニットの中心点までの距離が２５ｍｍ以上の場合には、無植毛領域Ｂが広くなりすぎ、洗浄効果が低下するとともに、外観から得られる洗浄効果感も低下する。
【００５１】
また、最も近いユニット中心点間の最短中心点距離Ｌ３は、特に限定されないが、１０ｍｍ以上２５ｍｍ以下の範囲とすることが好ましく、１２ｍｍ以上２０ｍｍ以下の範囲とすることがより好ましい。最も近いユニット中心点間の最短中心点距離Ｌ３が１０ｍｍ未満だと、１ユニット内が密になり過ぎ、毛束（用毛）の先端が頭皮に到達した実感が低くなり、使用感が低下する。また、上記Ｌ３が２５ｍｍを超えると、１ユニット内が疎になり過ぎ、用毛の先端が頭皮に強く当接するので使用者が刺激感を感じ、使用感が低下するため好ましくない。
【００５２】
なお、図２に示す例では、植毛穴２２が長方形状に６穴配置されることで１ユニットに構成されているが、これには限定されない。例えば、図７（ａ）に示すように、植毛穴２２が正三角形状に三穴配置されたユニットとしても良いし、図７（ｃ）に示すように、植毛穴２２が並行に４穴と５穴で計９個配されたユニットとすることもでき、その他の形状も含め、適宜決定することが可能である。
【００５３】
（ブラシ面における外周部と内周部との比）
本実施形態の頭皮用ブラシ１では、上述したように、基台２のブラシ面２１上において、周縁２１ａに沿った外周部２１ｂに毛束３（用毛３１）が植毛され、外周部２１ｂよりも内側の内周部２１ｃに錐体状突起５が取付けられる。本実施形態では、ブラシ面２１上において植毛穴２２が設けられる外周部２１ｂが、ブラシ面２１全体に対する面積比で、４０％以上６０％の範囲とされていることが好ましい。
【００５４】
基台２のブラシ面２１全体の面積に対する外周部の面積の比が４０％未満だと、この外周部に植毛される毛束（用毛）の本数が少なくなりすぎるため、用毛先端が頭皮に到達する実感を使用者が得られない虞がある。また、基台２のブラシ面２１全体の面積に対する外周部の面積の比が６０％を超えると、内周部に取付けられる錐体状突起５の本数が少なくなるため、高いマッサージ効果並びに良好なマッサージ感、及び毛髪をかき分ける効果が充分に得られなくなる。また、細径ブリッスルからなる毛束（用毛）を、ブラシ面上において内周部に植毛した場合、この用毛よりも外周に取付けられた錐体状突起が、使用者の頭皮に当る実感が強くなり過ぎる虞があるため、好ましくない。
【００５５】
本実施形態の頭皮用ブラシ１によれば、基台２のブラシ面２１上において、毛束３（用毛３１）及び弾性材料からなる錐体状突起５が、上述のような寸法及び配列パターンで取付けられてなる構成により、例えば、頭髪の長い人が使用した場合でも、錐体状突起５によって頭髪をかき分けることができるとともに適度なマッサージ効果を頭皮に付与することができる。また、用毛３１の先端を頭皮に到達させて毛穴内部を効果的に洗浄できるとともに使用者が優れた洗浄実感を得ることが可能となる。
【００５６】
このような頭皮用ブラシ１は、主として洗髪時において、シャンプー剤を頭皮上及び頭髪に泡立てた状態で用いることにより、頭皮及び頭皮の毛穴、毛髪等の汚れに対して優れた洗浄効果が得られる。また、例えば、マッサージ剤を頭皮及び頭髪に塗布した後、頭皮用ブラシ１によって刷掃することにより、速やかにマッサージ剤が頭皮及び頭髪の全体に行き渡り、効率良くマッサージすることができるとともに、頭皮や毛穴内部の汚れを浮き上がらせ、洗浄効果をより向上させることが可能となる。またさらに、リンス剤やコンディショナー剤と併せて使用した場合、これらの液剤を速やかに頭皮に到達させるとともに、目的とする成分を頭皮に効率的に浸透させることができるため、非常に好適であるが、本発明に係る頭皮用ブラシの使用形態としては、これらに限定されるものではなく、頭皮や頭皮の毛穴の手入れ作業において、様々な用途に用いることが可能である。
【００５７】
以上説明したように、本実施形態の頭皮用ブラシ１によれば、基台２に備えられるブラシ面２１上において、少なくとも一端側の形状がテーパ状とされ、先端部３１ａが頭皮毛穴よりも細い直径とされた用毛３１が複数束ねられてなる毛束３がブラシ面２１の周縁２１ａに沿った外周部２１ｂに配されるとともに、弾性材料からなり先端部５ａが面取りされてなる錐体状突起５が毛束３の植設された外周部２１ｂよりも内側の内周部２１ｃに配されてなる構成なので、高い毛穴洗浄効果が得られるとともに、頭皮に適度な刺激感が与えられるので高いマッサージ効果が得られる。
【００５８】
また、基台２に備えられるブラシ面２１上の外周部２１ｂに植毛される毛束３（用毛３１）が、該毛束３が植毛される植毛穴２２を３〜９個で１ユニットとした際、１ユニット内における任意の２箇所の植毛穴２２の中心間距離が２ｍｍ以上１５ｍｍ未満の範囲であり、且つ、任意の１ユニットの中心点から最も近い１ユニットの中心点までの距離が１０ｍｍ以上２５ｍｍ未満の範囲として配された各々の植毛穴２２に植毛された構成とすることにより、錐体状突起５のみならず、用毛３１によっても頭皮に適度な刺激感が与えられるので、より優れたマッサージ効果及び頭皮毛穴内部の洗浄効果が得られる。
【００５９】
また、本実施形態の頭皮用ブラシ１は、上記構成により、錐体状突起５及び毛束３（用毛３１）が、それぞれブラシ面２１上の外周部２１ｂ及び内周部２１ｃにおいて、密集した領域と疎な領域とを併せ持つので、頭皮に適度な刺激感を与え、ブラシ面上において均等に分布させる構成とされた従来の頭皮用ブラシに比べ、高いマッサージ効果が得られる。
【００６０】
なお、本発明に係る頭皮用ブラシにおいては、図８に示す例のように、ブラシ面１３の略中央部及び／又は周縁部に、基台１２を貫通するように、少なくとも一以上の貫通孔が設けられた構成とすることができ、図示例では、楕円形状の貫通孔１４が、基台１２に備えられるブラシ面１３の略中央付近に形成されている。このような、貫通孔１４が設けられることにより、基台１２を筐体（図１等の筐体４参照）に取付けた際、頭皮用ブラシの内部が外部に開放されるように構成される。このような構成とすることにより、頭皮用ブラシの使用時に、水あるいは洗浄剤等が中空状とされた頭皮用ブラシ内部に浸入した際、貫通孔１４からの水抜き処理を行なうことができ、頭皮用ブラシを、例えば６ヶ月程度の長い期間に亘って繰り返し使用する場合でも、清潔に使用及び保管することが可能となる。
貫通孔を設ける箇所としては、ブラシ面１３の略中央部及び／又は周縁部の他、筐体の把持部等に設けた構成としても良く、貫通孔の形状や位置、大きさ等は適宜決定することが可能である。
【実施例】
【００６１】
以下に、本発明の頭皮用ブラシ及び頭皮毛穴洗浄用具を実証するための実施例について説明するが、本発明は本実施例によって限定されるものではない。
【００６２】
［頭皮用ブラシの作製］
以下の手順で、図３に示すような用毛を用いて毛束を作製するとともに、図５に示すような錐体状突起を作成し、これら毛束及び錐体状突起が取付けられた基台を筐体に取り付けることにより、図１に示すような頭皮用ブラシのサンプルを作製した。
【００６３】
（基台の作製）
まず、図１及び図２中に示すような、７９．３×６４．３ｍｍの平面視略楕円形状とされ、厚さが４．５ｍｍの基台２において、ブラシ面２１の外周部２１ｂに、直径が１．５ｍｍの植毛穴２２を長方形状に６穴配置して１ユニットとし、計１０ユニット（植毛穴の合計数：６０穴）を配置した。この際、１ユニット内における任意の２箇所の植毛穴２２の中心間距離は、最短部距離Ｌ１で３．３ｍｍ、最長部距離Ｌ２で約８．５ｍｍとし、また、最も近いユニット中心点間の最短中心点距離Ｌ３を１６ｍｍとした。また、この際、ブラシ面上における外周部の領域としては、ブラシ面の周縁に沿った外側の約５５％の領域とした。
また、ブラシ面２１の内周部２１ｃの領域には、錐体状突起５を挿通して取付けるための突起取付孔（突起取付穴２３）を、８個の突起取付孔を楕円形状に配し、この楕円形状の内側に２個の突起取付孔を配した形態の配列で、計１０個形成した。
【００６４】
（用毛の作製）
ポリブチレンテレフタレート（ＰＢＴ）樹脂材料が用いられてなる、直径１９０μｍの用毛の原糸を等寸法にカットし、規定温度に加温した高濃度ＮａＣｌ溶液中に浸漬して薬品加工を施す従来公知の方法を用い、両端部をテーパ状に加工することにより、図３に示すような頭皮用ブラシ用の用毛３１を得た。この手順で得られた用毛（細径ブリッスル）３１の先端から０．１ｍｍの部位における直径は約２０μｍ、最も太い部分の直径は約０．１９ｍｍであった。
【００６５】
（用毛の植毛）
両端部がテーパ状に加工された用毛３１を約１５本で一束として、基台２の各植毛穴２２に中央部から折り返すようにして用毛３１を植毛することにより、各植毛穴２２に毛束３が取り付けられた状態とした。この際、用毛（毛束）３１の毛丈は、基台２のブラシ面２１から端面３１ｂまでの寸法の平均で、約１４ｍｍ（±０.５ｍｍ）とした。
【００６６】
（錐体状突起の作製）
錐体状突起５としては、スチレン系エラストマー樹脂（硬度：６０Ａ）を用い、錐体状突起５及び該錐体状突起５が表面に形成されてなる図示略の突起基板を一体成形で作製した。この際、錐体状突起５は、先端から０．１ｍｍの部位における直径を約０．６ｍｍ、突起の付け根部分の直径を７ｍｍとして形成した。また、錐体状突起５の先端部５ａには、曲面状に面取り処理を施した。
【００６７】
（頭皮用ブラシの作製）
上記手順で得られた、ブラシ面２１上の外周部２１ｂに複数の毛束３が植毛されるとともに、内周部２１ｃに突起取付孔（突起取付穴２３）が形成された基台２、並びに、表面に錐体状突起５が形成された基板を、図１に示すような筐体４の開口部４１に嵌め込んで一体に取付け、実施例１の頭皮用ブラシ１を得た。この際、錐体状突起５が形成されてなる図示略の基板上に基台２を重ね合わせ、基台２に形成された突起取付孔に錐体状突起５が挿通され、ブラシ面２１から突出するように組み付けた。
上述のように組み付けられてなる頭皮ブラシ１のブラシ面２１上において、該ブラシ面２１からの毛束３（用毛３１）の長さＨ１から錐体状突起５の長さＨ２を引いた寸法は、２．５ｍｍであった。また、ブラシ面２１上において、各々の錐体状突起５の根元の間に設けられる間隔Ｃ１は、最長部分で１５ｍｍ、最短部分で１０ｍｍとした。
【００６８】
また、１ユニット当たりの植毛穴の穴数や各寸法及び配置、並びに錐体状突起の数や各寸法及び配置を、下記表１及び表２、並びに、図７（ａ）〜（ｉ）及び図９（ａ）〜（ｆ）に示すような仕様とした点を除き、上記同様の手順によって実施例２〜１５、及び比較例１〜６の頭皮用ブラシを得た。
なお、実施例１３、１４の頭皮用ブラシは、ブラシ面上において毛束が植設される外周部を、それぞれブラシ面の周縁に沿った外側の約３５％、約６５％の領域とした例である。実施例１３、１４の頭皮用ブラシは、何れも１ユニット内の穴数及び上記Ｌ１、Ｌ２の寸法は同じであるが、外周部の周縁からの領域がそれぞれ約３５％、約６５％であることから、上記Ｌ３の寸法を、実施例１３では２０ｍｍ、実施例１４では１０ｍｍとしている。これは、各毛束で構成されるユニットの各々を、実施例１３においては周縁に沿って１列のみ配置しているが（図７（ｉ）参照）、実施例１４においては、詳細な図示を省略するが、ユニットの各々を周縁に沿って２列配置していることによる。
【００６９】
［評価方法］
上述のようにして得られた各実施例及び比較例の頭皮用ブラシを用い、「毛穴内部洗浄感」、「頭皮マッサージ感」及び「洗髪時の頭皮用ブラシ動かし易さ」について、以下の方法で評価した。
頭皮用ブラシの使用方法としては、市販のシャンプー（商品名：植物物語；登録商標、ライオン株式会社製）を用い、まず、各パネル（被験者）がシャンプーを頭皮及び頭髪に対して適量で付与し、泡が頭皮地肌全体に行き渡るようにして泡立てた後、頭皮用ブラシの各サンプルを用いて洗髪を行なった。この際、頭皮用ブラシの各サンプルを用いた洗髪時間は約３分間とし、均一に頭皮用ブラシを動かして泡立てながら洗浄する方法とした。そして、お湯で頭髪及び頭皮全体をすすいだ後、頭髪を乾燥させ、「毛穴内部洗浄感」、「頭皮マッサージ感」及び「洗髪時の頭皮用ブラシ動かし易さ」について、各パネルが以下に説明する評価基準で官能評価を行なった。
なお、各官能評価試験におけるパネル（被験者）としては、女性パネル（ｎ＝３０名）を用い、各パネルの頭髪の長さとして、「耳〜肩に付くまでの長さ：計５名」、「肩から下方へ１０ｃｍ以内の長さ：計１５名」、「肩から１０ｃｍ超２０ｃｍ以下の長さ：計１０名」としてパネルの選定を行い、各々同条件で評価を行なった。
【００７０】
（毛穴内部洗浄感）
上記頭皮用ブラシの各サンプル（実施例１〜１５、比較例１〜６）について、各パネラー（ｎ＝３０名）がシャンプーを用いて頭皮洗浄操作を行い、毛穴内部の洗浄感を５段階（良好、やや良好、どちらとも言えない、やや良くない、良くない）で官能評価し、良好又はやや良好と感じたパネラーの人数に応じて、以下に示すような４段階の基準で評価した。
これらの評価結果を、下記表１及び表２にそれぞれ示した。
（１）◎：良好と答えたパネラーが８０％以上（大きな効果あり）
（２）○：良好と答えたパネラーが６０％以上８０％未満（効果あり）
（３）△：良好と答えたパネラーが４０％以上６０％未満（あまり効果なし）
（４）×：良好と答えたパネラーが４０％未満（効果なし）
【００７１】
（頭皮マッサージ感）
上記頭皮用ブラシの各サンプル（実施例１〜１５、比較例１〜６）について、各パネラーがシャンプーを用いて頭皮洗浄操作を行い、頭皮マッサージ感について、上記「毛穴内部洗浄感」と同様の基準で官能評価した。そして、上記同様の基準で４段階評価し、評価結果を、下記表１及び表２にそれぞれ示した。
【００７２】
（洗髪時の頭皮用ブラシ動かし易さ）
上記頭皮用ブラシの各サンプル（実施例１〜１５、比較例１〜６）について、各パネラーがシャンプーを用いて頭皮洗浄操作を行い、洗髪時の頭皮用ブラシ動かし易さについて、上記「毛穴内部洗浄感」及び「頭皮マッサージ感」と同様の基準で官能評価した。そして、上記同様の基準で４段階評価し、評価結果を、下記表１及び表２にそれぞれ示した。
【００７３】
頭皮用ブラシの各サンプルにおける植毛穴仕様及び錐体状突起仕様、並びに評価結果を表１及び表２に示す。
【００７４】
【表１】
0005173487.tif 000002
【００７５】
【表２】
0005173487.tif 000003
【００７６】
［評価結果］
上記表１及び表２に記載の結果に示すように、ブラシ面２１上において、毛束３（用毛３１）が外周部２１ｂに適正な寸法及び配列で配置され、また、錐体状突起５が外周部２１ｂよりも内側の内周部２１ｃに適正な寸法及び配列で配置されてなる実施例１〜１５の頭皮用ブラシは、上記「毛穴内部洗浄感」、「頭皮マッサージ感」及び「洗髪時の頭皮用ブラシ動かし易さ」の各官能試験における評価が、何れも「◎」又は「○」の評価結果となり、優れた洗浄感とマッサージ感が得られるとともに、洗髪時の使用性に優れることが明らかとなった。また、これら各実施例のサンプルの内、ブラシ面上において毛束が植設される外周部を約３５％の領域とした実施例１３の頭皮用ブラシは、頭皮マッサージ感が「◎」の評価結果となり、外周部を約６５％の領域とした実施例１４の頭皮用ブラシは、毛穴内部洗浄感が「◎」の評価結果となった。
【００７７】
これに対し、ブラシ面上の外周部に毛束（用毛）を植設しなかった比較例１の頭皮用ブラシは、洗浄作用が劣るため、「毛穴内部洗浄感」の評価が「×」の結果となり、また、「頭皮マッサージ感」の評価も「△」と、やや劣る結果となった。
また、ブラシ面上の内周部に錐体状突起を取付けなかった比較例２の頭皮用ブラシは、頭皮へのマッサージ効果が劣るため、「頭皮マッサージ感」の評価が「×」の結果となり、また、「毛穴内部洗浄感」の評価も「△」と、やや劣る結果となった。
また、ブラシ面上において、外周部に錐体状突起が取付けられ、また、内周部に毛束が植設され、本発明の規定と逆の配列とされた比較例３の頭皮用ブラシは、「毛穴内部洗浄感」の評価が「×」の結果となり、また、「頭皮マッサージ感」の評価も「△」と、やや劣る結果となった。
【００７８】
また、ブラシ面上において、錐体状突起が取付けられず、ブラシ面の全体に毛束が植設された比較例４の頭皮用ブラシは、「毛穴内部洗浄感」、「頭皮マッサージ感」及び「洗髪時の頭皮用ブラシ動かし易さ」の各官能試験における評価が何れも「×」の結果となった。
また、ブラシ面上において、毛束が植設されず、錐体状突起がブラシ面の全体に取り付けられた比較例５の頭皮用ブラシは、「毛穴内部洗浄感」及び「洗髪時の頭皮用ブラシ動かし易さ」の各官能試験における評価が何れも「×」の結果となり、また、「頭皮マッサージ感」の評価も「△」と、やや劣る結果となった。
また、ブラシ面上の全体にわたって錐体状突起及び毛束の両方を取り付けた比較例６の頭皮用ブラシは、「毛穴内部洗浄感」、「頭皮マッサージ感」及び「洗髪時の頭皮用ブラシ動かし易さ」の各官能試験における評価が何れも「×」の結果となった。
【００７９】
上記各評価結果より、頭皮用ブラシのブラシ面において、錐体状突起あるいは毛束（用毛）の何れか一方のみを全面に取付けた場合には、「毛穴内部洗浄感」、「頭皮マッサージ感」及び「洗髪時の頭皮用ブラシ動かし易さ」の何れもが劣り、また、錐体状突起あるいは毛束の何れか一方のみをブラシ面上における規定の領域に配列した場合でも、「毛穴内部洗浄感」又は「頭皮マッサージ感」の何れかが大きく劣ることがわかる。また、ブラシ面上において、錐体状突起を外周部に配するとともに毛束を内周部に配し、本発明で規定する配列とは逆の構成とした場合にも、「毛穴内部洗浄感」又は「頭皮マッサージ感」の何れかが大きく劣ることがわかる。
【００８０】
これに対し、本発明で規定するように、ブラシ面上において、毛束（用毛）が外周部に適正な寸法及び配列で配置され、また、錐体状突起が外周部よりも内側の内周部に適正な寸法及び配列で配置されてなる実施例１〜１５の頭皮用ブラシは、頭皮のマッサージ効果と毛穴内部の洗浄効果の両方を同時に満足することができるとともに、特に女性等の頭髪が長めの使用者が用いた場合において、頭髪が錐体状突起や毛束に絡みついたりすることが無く、非常に高い使用性を有していることがわかる。
【００８１】
以上説明したような実施例の結果より、本発明の頭皮用ブラシが、頭皮のマッサージ効果と毛穴内部の洗浄効果の両方を同時に満足することができ、またさらに、使用性に優れていることが明らかとなった。
【図面の簡単な説明】
【００８２】
【図１】本発明に係る頭皮用ブラシの一例を説明するための模式図であり、（ａ）は側面図、（ｂ）はブラシ面を示す平面図である。
【図２】本発明に係る頭皮用ブラシの一例を説明するための模式図であり、図１（ｂ）におけるブラシ面をさら詳細に示す拡大図である。
【図３】本発明に係る頭皮用ブラシの一例を説明するための模式図であり、用毛の先端部を示す部分拡大図である。
【図４】本発明に係る頭皮用ブラシの一例を説明するための模式図であり、用毛が基台に植毛され、毛束とされた状態を示す概略図である。
【図５】本発明に係る頭皮用ブラシの一例を説明するための模式図であり、錐体状突起の形状を示す部分拡大図である。
【図６】本発明に係る頭皮用ブラシの一例を説明するための模式図であり、錐体状突起が基台に取付けられた状態を示す部分拡大図である。
【図７】本発明に係る頭皮用ブラシの一例を説明するための模式図であり、植毛穴並びに突起取付穴（毛束並びに錐体状突起）の各種配列パターンを示す概略図である。
【図８】本発明に係る頭皮用ブラシの他の例を説明するための模式図であり、基台のブラシ面に形成された貫通穴を示す概略図である。
【図９】従来の頭皮用ブラシを説明する模式図である。
【符号の説明】
【００８３】
１…頭皮用ブラシ、２、１２…基台、２１、１３…ブラシ面、１４…貫通穴、２１ａ…周縁、２１ｂ…外周部、２１ｃ…内周部、２２…植毛穴、２３…突起取付穴、３…毛束、３１…用毛、３１ａ…先端部（用毛）、３１ｂ…端面、４…筐体、４ａ…中空部、４１…開口部、４２…把持部
【図１】
0005173487.tif 000004
【図２】
0005173487.tif 000005
【図３】
0005173487.tif 000006
【図４】
0005173487.tif 000007
【図５】
0005173487.tif 000008
【図６】
0005173487.tif 000009
【図７】
0005173487.tif 000010
【図８】
0005173487.tif 000011
【図９】
0005173487.tif 000012